(57)【要約】【課題】ベビーベッドのサークルや幼児用サークルの柵体が、幼児によって簡単に下降することがなく、しかも構造が簡単で操作が容易な昇降装置を提供する。【解決手段】左右の支柱１に昇降自在に支持させた可動柵３の左右両縦框６に、ばね１３により外側へ付勢された操作軸１０を貫通させ、その内端には摘み１１を、外端には下向きの係止部１４を設け、この係止部１４を前記左右の支柱１に上端が開口するように形成したロック溝１７に嵌合することにより、可動柵３を一旦上昇させた後、摘み１１をばね力に抗して引っ張らないと下降しないようにしている。【選択図】      図２
2004344208.tif 000002
【特許請求の範囲】
【請求項１】
左右の支柱に昇降自在に支持させた可動柵の左右両縦框に、ばねにより外側へ付勢された操作軸を貫通させ、その内端には摘みを、外端には下向きの係止部を設け、この係止部を前記左右の支柱に上端が開口するように形成したロック溝に嵌合したことを特徴とするベビーベッド等における可動柵の昇降装置。
【発明の詳細な説明】
【０００１】
【発明の属する技術分野】
本発明は、ベビーベッドの可動柵とか、幼児を収容するサークルにおける可動柵の昇降装置に関するものである。
【０００２】
【従来の技術】
保育園や家庭で使われているベビーベッドは、実開昭５９−１９６１６２号公報に開示されているように、昇降する可動柵の左右の縦框にばねにより外側に付勢された操作軸を設け、その先端を隣接する柵体の支柱に形成した横孔に嵌入することにより可動柵を上昇状態で保持し、操作軸をばねに抗して内側に引っ張り、先端を横孔から離脱して可動柵を下降させるものがある。
【０００３】
このベビーベッドの昇降する可動柵は、隣接する柵体が外側に強く押された場合、可動柵と隣接する柵体の支柱との間に隙間が形成され、操作軸の先端が横孔から外れて可動柵が急激に落下し、幼児が手足を挟むとか、ベッドから落下して大怪我をすることがあった。
【０００４】
実開昭６０−１０５６５号公報には、可動柵を下降させる場合、一度可動柵を上昇させなければ下降しないように形成したベッド装置が開示されている。
【０００５】
このベッド装置は、幼児が簡単に可動柵を下降させることはできないので、安全性を向上することはできるが、装置が複雑なため、コスト高となり、実用性に乏しかった。
【０００６】
また保育園等では、幼児を安全に遊ばせるためのサークルを使用している。このサークルは、高さが６０〜７０ｃｍの複数の柵体を連結したものであり、保育士はこれを跨いで出入りしなければならないという不便があった。そのため、適宜の柵体に可動柵を設けて高さを加減できるようにすることが考えられるが、この場合も、幼児が可動柵に触れることにより、この可動柵が簡単に落下しないような昇降装置が必要となる。
【０００７】
【発明が解決しようとする課題】
本発明は、上記従来のベビーベッドや、幼児用サークルの問題点に鑑みて開発したものであり、ベッドのサークルや幼児用サークルの柵体を、幼児が容易に下降することができず、しかも構造が簡単で操作が容易な昇降装置を提供しようとするものである。
【０００８】
【課題を解決するための手段】
上記目的を達成するために、本発明に係るベビーベッド等の可動柵の昇降装置は、左右の支柱に昇降自在に支持させた可動柵の左右両縦框に、ばねにより外側へ付勢された操作軸を貫通させ、その内端には摘みを、外端には下向きの係止部を設け、この係止部を前記左右の支柱に上端が開口するように形成したロック溝に嵌合したことを特徴としている。
【０００９】
本発明の可動柵の昇降装置は、可動柵が上昇状態にあっては、操作軸はばね力により外側に突出し、先端の下向きの係止部が左右の支柱に設けたロック溝に嵌合している。この上昇状態において可動柵をやや持ち上げ、ロック溝から係止部を離脱させた後、摘みを内側に引いて操作軸を後退させたまま押し下げると、係止部が左右の支柱に当接し、可動柵は自重により下降する。
【００１０】
【発明の実施の形態】
図１〜図４を参照して、本発明に係る可動柵の昇降装置をベビーベッドに実施した場合に付いて詳細に説明する。図１はベビーベッドの斜視図であり、図２は同上正面図である。図３はベビーベッドの要部を示す縦断面図であり、図４は同上要部の横断面図である。
【００１１】
図中の符号Ａはベビーベッドにおけるサークルであり、四隅の支柱１間の上半部に固定した二箇所の柵体２，２と、支柱１間の上半部に昇降自在に支持させたに箇所の可動柵３，３により形成し、且つ柵体２と可動柵３は、連結板４により補強されている。このサークルＡ内の中央部にマット５を嵌めている。上記可動柵３は、左右両縦框６，６の外側面に上下方向に長い突条７を設け、この突条７を隣接する左右の支柱１，１に略全長に亘って形成したガイド溝８に昇降自在に嵌合している。尚、可動柵３が一箇所で、柵体２が三箇所の場合もある。
【００１２】
上記可動柵３における左右両縦框６の上部には、左右に貫通する透孔９を設け、この透孔９に操作軸１０を貫通させている。この操作軸１０の内端に摘み１１を、外端に下向きの係止部１２を設けている。また操作軸１０には、ばね１３を外装し、その先端を操作軸１０に保持させ、後端を透孔９内の段部１４に保持させることにより、操作軸１０を外側へ付勢させている。前記左右の支柱１に形成したガイド溝８の上部には操作軸１０に対向する凹部１５を設け、その下端とガイド溝８に固定した係止金具１６とにより、上方に開口したロック溝１７を形成している。
【００１３】
上記のように構成されたベビーベッドにあっては、左右の摘み１１を持ち、可動柵３を持ち上げると、係止部１２はロック溝１７から外れる。次に図３に鎖線で示すように摘み１１をばね１３に抗して内側に引っ張ったまま可動柵３を下降させ、係止部１２が凹部１５を通過すると、係止部１２はガイド溝８に当接し、可動柵３は自重が作用して軽く落下し、図２に鎖線で示す下降状態となる。
【００１４】
下降した可動柵３を上部まで押し上げると、係止部１２は図２に実線で示すように、ばね力によりロック溝１７に係合し、可動柵３が上昇状態で維持される。
【００１５】
上記ベビーベッドは、可動柵３の左右の摘み１１を同時に内側に引っ張るのみでなく、可動柵３を一旦持ち上げない限り、可動柵３を下降させることができないので、幼児が摘み１１を引っ張ることがあっても、可動柵３を下降させることができない。従って、可動柵３が落下して怪我をするおそれがない。また可動柵３が上昇状態のときは、係止部１２のロック溝１７への嵌合により、隣接の柵体２との接合面に間隙を生じることがない。
【００１６】
次に、図５を参照して本発明を保育園等で使用される幼児用サークルに実施する場合を説明する。図５は幼児用サークルの一部を示す斜視図である。
【００１７】
符号Ｂは幼児用サークルであり、下端に台板１８を設けた複数の柵体１９を突き合わせて形成している。その中の一つの柵体は、左右の支柱２０の下半部に固定柵２１を設け、上半部に支柱２０に沿って固定柵２１の前面に下降する可動柵２２を備えている。
【００１８】
可動柵２２における左右両縦框２３の左右の支柱２０への昇降手段は、図３，図４に示すベビーベッドＡにおける昇降手段と同一である。従ってこの昇降装置の要部の構成、及びその作用の説明は省略する。
【００１９】
上記幼児用サークルＢは、前記ベビーベッドと同様に、幼児が可動柵３を下降させるおそれがない。また保育士は、可動柵２２を下降して柵の高さを２／１程度にすることにより、容易にこれを跨いで出入りすることができる。
【００２０】
【発明の効果】
本発明に係るベビーベッド等における可動柵の昇降装置によるときは、可動柵の左右の摘みを同時に内側に引っ張るのみでなく、可動柵を一旦持ち上げないと可動柵を下降させることができないので、幼児を安心して収容できるベビーベッドや幼児用サークルを構成することができる。
【００２１】
可動柵が上昇状態において、支柱を外側に強く押されることがあっても、係止部がロック溝から外れ、可動柵が落下することがない。
【００２２】
下降状態の可動柵を上昇させる場合、摘みを操作しないで、可動柵を持ち上げるのみで係止部をロック溝に嵌合し、上昇状態とすることができるので、操作が極めて容易である。
【００２３】
また本装置は、構造が簡単であるから、ベビーベッド等を安価に製造するかとができる。
【図面の簡単な説明】
【図１】本発明を実施したベビーベッドの斜視図である。
【図２】同上ベビーベッドの正面図である。
【図３】同上ベビーベッドの要部を示す縦断面図である。
【図４】図３におけるＸ−Ｘ線の断面図である．
【図５】本発明を実施した幼児用サークルの一部を示す斜視図である。
【符号の説明】
１，２０        支  柱
２，１９        柵  体
３，２２        可動柵
６，２３        縦  框
７              突  条
８              ガイド溝
１０            操作軸
１１            摘  み
１２            係止部
１３            ば  ね
１７            ロック溝
【図１】
2004344208.tif 000003
【図２】
2004344208.tif 000004
【図３】
2004344208.tif 000005
【図４】
2004344208.tif 000006
【図５】
2004344208.tif 000007